(57)【要約】【課題】  対物光学系の大きさが変化しても着脱可能な撮像アダプタの大径化を抑えて観察可能な内視鏡装置を提供すること。【解決手段】  アダプタ１０が、挿入部２に配された挿入部側電気接点１３と接続可能なアダプタ側電気接点１５と、可撓性を有してアダプタ側電気接点１５とＬＥＤ照明ユニット８とを電気的に接続する電気配線部１６と、内視対象物と対峙する対物光学系１７とを備え、アダプタ側電気接点１５が、対物光学系１７のプリズム２１よりもアダプタ１０の基端側に、かつ、アダプタ側電気接点１５の最上位置１５Ａが、プリズム２１の最下位置２１Ａよりもアダプタ１０の中心軸線Ｃ１側に配されている。【選択図】  図３
2006106166.tif 000002
【特許請求の範囲】
【請求項１】
照明部を有して、管腔内に挿入される挿入部の先端部に着脱可能な撮像アダプタを備える内視鏡装置であって、
前記撮像アダプタが、前記挿入部に配された挿入部側電気接点と接続可能なアダプタ側電気接点と、
可撓性を有して前記アダプタ側電気接点と前記照明部とを電気的に接続する電気配線部と、
内視対象物と対峙する対物光学系とを備え、
前記アダプタ側電気接点が、前記対物光学系の少なくとも一部よりも前記撮像アダプタの基端側に、かつ、前記アダプタ側電気接点の少なくとも一部が、前記対物光学系の少なくとも一部よりも前記撮像アダプタの中心軸線側に配されていることを特徴とする内視鏡装置。
【請求項２】
前記対物光学系が、光路を変更するプリズムを備え、
前記アダプタ側電気接点の最も前記撮像アダプタの中心軸線に近い位置が、前記プリズムの最も前記撮像アダプタの中心軸線から遠い位置よりも前記撮像アダプタの中心軸線側に配されていることを特徴とする請求項１に記載の内視鏡装置。
【請求項３】
前記対物光学系の光路と、前記撮像アダプタの中心軸線とが略同一とされ、
前記アダプタ側電気接点の最も前記光路に近い位置が、前記対物光学系の最も前記光路から遠い位置よりも前記光路側に配されていることを特徴とする請求項１に記載の内視鏡装置。
【発明の詳細な説明】
【技術分野】
【０００１】
本発明は、内視対象の管腔内に挿入される挿入部に、照明部が配された撮像アダプタが着脱可能とされた内視鏡装置に関する。
【背景技術】
【０００２】
工業用や医療用として使用されている内視鏡装置は、管腔内に挿入される長尺の挿入部を備えている。また、このような内視鏡装置においては、管腔内の観察対象を照明して観察や撮像を容易にするため、外部の光源からの出射光を光ファイバ等のライトガイドにより挿入部の先端に配された照明光学系まで導光するものが提案されている（例えば、特許文献１参照。）。
このように挿入部の側面から内視対象を観察する内視鏡の場合、挿入部の先端部に配された対物光学系は、光路を約９０度曲げるためのプリズムを備えている。そして、プリズムの配設位置よりもアダプタの先端側から照明光を照射するために、ライトガイドがプリズムの裏面側を通過して配されている。
【０００３】
一方、近年では、発光ダイオード（以下、ＬＥＤと称する。）を有し、そのＬＥＤの光を照射するための照明部を備える撮像アダプタを挿入部の先端に着脱自在とし、観察対象や用途に応じて互いに異なる光学系が予め用意された複数種類の撮像アダプタの中から最適のものを選択して交換使用を可能に構成された内視鏡装置も提案されている。
このような内視鏡の場合、照明部に電源供給するために、ＬＥＤと接続された電気配線と挿入部に配された配線とを接続するための電気接点を配する必要がある。
【０００４】
しかしながら、特許文献１に記載の内視鏡のライトガイドのようにプリズムの裏面側に電気配線する場合には、電気接点がプリズムよりもさらにアダプタの径方向外方に位置してしまい、撮像アダプタの外径が大きくなってしまう可能性がある。
【特許文献１】特許第３３７２９８０号公報
【発明の開示】
【発明が解決しようとする課題】
【０００５】
本発明は上記事情に鑑みて成されたものであり、対物光学系の大きさが変化しても着脱可能な撮像アダプタの大径化を抑えて観察可能な内視鏡装置を提供することを目的とする。
【課題を解決するための手段】
【０００６】
本発明は、上記課題を解決するため、以下の手段を採用する。
本発明に係る内視鏡装置は、照明部を有して、管腔内に挿入される挿入部の先端部に着脱可能な撮像アダプタを備える内視鏡装置であって、前記撮像アダプタが、前記挿入部に配された挿入部側電気接点と接続可能なアダプタ側電気接点と、可撓性を有して前記アダプタ側電気接点と前記照明部とを電気的に接続する電気配線部と、内視対象物と対峙する対物光学系とを備え、前記アダプタ側電気接点が、前記対物光学系の少なくとも一部よりも前記撮像アダプタの基端側に、かつ、前記アダプタ側電気接点の少なくとも一部が、前記対物光学系の少なくとも一部よりも前記撮像アダプタの中心軸線側に配されていることを特徴とする。
【０００７】
この内視鏡装置は、対物光学系が大きくなっても、撮像アダプタの中心軸線に対して対物光学系とアダプタ側電気接点との重なり状態を調整することによって、対物光学系の大型化の割合よりも小さい範囲に撮像アダプタの大径化を抑えることができる。
【０００８】
また、本発明に係る内視鏡装置は、前記内視鏡装置であって、前記対物光学系が、光路を変更するプリズムを備え、前記アダプタ側電気接点の最も前記撮像アダプタの中心軸線に近い位置が、前記プリズムの最も前記撮像アダプタの中心軸線から遠い位置よりも前記撮像アダプタの中心軸線側に配されていることを特徴とする。
【０００９】
この内視鏡装置は、側視型の撮像アダプタが備えるプリズムが大型化しても、アダプタ外径を拡大することなく電気配線することができ、アダプタの大径化をより好適に抑えることができる。
【００１０】
また、本発明に係る内視鏡装置は、前記内視鏡装置であって、前記対物光学系の光路と、前記撮像アダプタの中心軸線とが略同一とされ、前記アダプタ側電気接点の最も前記光路に近い位置が、前記対物光学系の最も前記光路から遠い位置よりも前記光路側に配されていることを特徴とする。
【００１１】
この内視鏡装置は、直視型の撮像アダプタが有する対物光学系の一部が大型化しても、アダプタ外径を拡大することなく電気配線することができ、アダプタの大径化をより好適に抑えることができる。
【発明の効果】
【００１２】
本発明によれば、対物光学系を大型化してもアダプタの大径化を極力抑えることができる。
【発明を実施するための最良の形態】
【００１３】
本発明に係る第１の実施形態について、図１から図５を参照して説明する。
本実施形態に係る内視鏡装置１は、図１に示すように、長尺な軟性管２を有して管腔に挿入される挿入部５と、この挿入部５の基端が接続されたボックス状の装置本体部６とを備えている。
【００１４】
この内視鏡装置１は、挿入部５で捕えた画像信号を、軟性管２内部の信号線を通して装置本体部６に設置された信号処理回路（図示せず。）に出力し、信号処理回路で処理された信号を画像表示手段である液晶パネル７に映像として映し出すようになっている。尚、装置本体部６には、信号処理回路の他、バッテリ電源に接続された主電源回路（図示せず。）等が内蔵されている。
【００１５】
挿入部５は、ＬＥＤ照明ユニット（照明部）８を有して、管腔内に挿入される挿入部５の先端部に着脱可能なアダプタ（撮像アダプタ）１０を備えている。
さらに詳しくは、軟性管２の先端側には金属等の硬質材料から成る連結プラグ１１が設けられ、その連結プラグ１１の先端部にアダプタ１０が着脱可能に設けられている。
【００１６】
アダプタ１０は所謂側視型のものであり、図２及び図３に示すように、さらに、略円筒状のアダプタ本体１２と、挿入部５の連結プラグ１１内に配された挿入部側電気接点１３と接続可能なアダプタ側電気接点１５と、可撓性を有してアダプタ側電気接点１５とＬＥＤ照明ユニット８とを電気的に接続する電気配線部１６と、内視対象物と対峙する対物光学系１７とを備えている。
アダプタ本体１２には、対物光学系１７を支持する第一の側口１２Ａと、ＬＥＤ照明ユニット８を支持する第二の側口１２Ｂとが、同一の側面に開口して形成されている。
【００１７】
対物光学系１７は、内視対象物に対峙して第一の側口１２Ａに固定された第一レンズ１８と、第一レンズ１８で捉えた像を連結プラグ１１内に支持されたＣＣＤユニット２０に結ぶように光路Ｃを略９０度に曲げて、アダプタ本体１２の中心軸線Ｃ１と一致させるためのプリズム２１とを備えている。
【００１８】
プリズム２１は、第一レンズ１８から入射した光が中心軸線Ｃ１方向となるように光路を変更させる第一プリズム２２と第二プリズム２３とを備えた二面反射型とされている。
第一プリズム２２は、中心軸線Ｃ１に対して図２の上側に配されており、第二プリズム２３は、中心軸線Ｃ１に対して図２の下側に配されている。第一プリズム２２と第二プリズム２３とが互いに対向する面をそれぞれ第一面２２Ａと第二面２３Ａとしたとき、第一レンズ１８から第一プリズム２２に入射した光が、第一面２２Ａから出射するとともに、第二プリズム２３の第二面２３Ａから入射し、図２において中心軸線Ｃ１よりも下側となる第二プリズム２３の第三面２３Ｂで反射した後、第二面２３Ａから出射して第一面２２Ａに至り、中心軸線Ｃ１方向に反射するように、光路Ｃに対して所定の角度で傾斜して配されている。
【００１９】
アダプタ側電気接点１５は、図４に示すように、電気配線部１６が中心部に接続された円板状の基板２５と、基板に貼り付けられた異方性導電ゴム２６とを供えている。
このアダプタ側電気接点１５は、対物光学系１７を構成するプリズム２１よりもアダプタ１０の基端側となるように、かつ、アダプタ側電気接点１５の中心軸線Ｃ２がアダプタ本体１２の中心軸線Ｃ１と平行となるように配されている。
アダプタ側電気接点１５の最も中心軸線Ｃ１に近い最上位置１５Ａは、プリズム２１の最も中心軸線Ｃ１から遠い最下位置２１Ａよりも中心軸線Ｃ１側に距離Δだけ上方に離間して配されている。
【００２０】
ここで、異方性導電ゴム２６は、シリコンゴム等の絶縁性のゴム素材に、ニッケル粒子や金メッキを施した金属粒子等の導電部材をドット状に埋設して構成されたものとされている。この異方性導電ゴム２６は、弾性体であるゴム素材を厚さ方向に押圧すると、その圧縮変形によって高密度化した導電部材間の導電性が増し、それによって厚み方向の通電が許容されるようになる。この際、ゴム素材が絶縁部材であることから、ゴム素材の厚み方向以外の方向（例えば、周方向）については絶縁状態が維持される。
【００２１】
ＬＥＤ照明ユニット８は、対物光学系１７よりもアダプタ１０の先端側に配されており、図２及び図３に示すように、複数のＬＥＤチップ２７と、これらを載置する取付ベース２８と、アダプタ本体１２の第二の側口１２Ｂに固定されるキャビティ部材３０とを備えている。
各ＬＥＤチップ２７は、図示しないＬＥＤ電極にて電気配線部１６と電気的に接続されている。
【００２２】
電気配線部１６は、光路Ｃと重ならないようにプリズム２１及びＬＥＤ照明ユニット８の裏面側となる、アダプタ本体１２内に設けられた配線スペース３１内に配されており、保守時にＬＥＤ照明ユニット８を第二の側口１２Ｂから取り出し可能な程度に弛んだ状態で収納されている。
【００２３】
この挿入部側電気接点１３は、図４に示すように連結プラグ１１の先端に配されており、図示しないＬＥＤ電源と接続された電気供給配線３２の先端に接続された導電部材３３と、導電部材３３を連結プラグ１１に支持するために導電部材３３を覆う絶縁部材３５とを備えている。
導電部材３３は、図５（ａ）（ｂ）に示すように、アダプタ１０を装着した際に、異方性導電ゴム２６の基端面２６Ａを押圧可能な程度に連結プラグ１１の先端面１１Ａよりも先端側に突出して配されている。
【００２４】
この内視鏡装置１によれば、アダプタ１０を挿入部５に装着する際、導電部材３３の先端が異方性導電ゴム２６を押圧することによって、異方性導電ゴム２６が押圧方向に導電状態となり、アダプタ側電気接点１５と挿入部側電気接点１３とを電気的に接続することができる。
その際、アダプタ側電気接点１５の最上位置１５Ａを対物光学系１７を構成するプリズム２１の最下位置２１Ａよりも中心軸線Ｃ１側に配するので、プリズム２１が大きくなっても、中心軸線Ｃ１に対してプリズム２１とアダプタ側電気接点１５との重なり状態を調整することができ、プリズム２１の大型化の割合よりも小さい範囲にアダプタ１０の大径化を好適に抑えることができる。
また、絶縁部材３５と異方性導電ゴム２６とが密着状態となるので、アダプタ１０外部からアダプタ１０内部の電気系統への漏水を好適に抑えることができる。  
【００２５】
次に、第２の実施形態について図６を参照しながら説明する。
なお、上述した第１の実施形態と同様の構成要素には同一符号を付すとともに説明を省略する。
第２の実施形態と第１の実施形態との異なる点は、本実施形態に係る内視鏡装置４０のアダプタ４１における配線スペース４２が、図６（ａ）に示すように、ＬＥＤ照明ユニット８及びプリズム２１の側面側に設けられているとした点である。
【００２６】
電気配線部１６は、図６（ｂ）に示すように、光路Ｃと重ならないように、アダプタ本体１２の中心軸線Ｃ１よりも図６（ｂ）において上側に配されている。
この内視鏡装置４０によれば、第１の実施形態と同様の作用・効果を奏することができる。そして、プリズム２１の形状に応じて、第１の実施形態に係るアダプタ１０と使い分けることができる。
【００２７】
次に、第３の実施形態について図７を参照しながら説明する。
なお、上述した他の実施形態と同様の構成要素には同一符号を付すとともに説明を省略する。
第３の実施形態と第１の実施形態との異なる点は、本実施形態に係る内視鏡装置４５のアダプタ４６が、直視型とされている点である。
【００２８】
アダプタ本体４７は、略円筒状とされており、先端開口端４７Ａには、対物光学系４８が備える第一レンズ１８が固定されている。
対物光学系４８は、アダプタ４６が直視型であるため、第１の実施形態のようなプリズム２１は備えておらず、第一レンズ１８の基端側には対物レンズ群５０が配されている。
【００２９】
対物光学系４８の光路Ｃと、アダプタ本体４７の中心軸線Ｃ１とは略同一とされており、アダプタ側電気接点１５の中心軸線Ｃ２が、光路Ｃ及び中心軸線Ｃ１と略平行となるように配されている。
また、光路Ｃに最も近いアダプタ側電気接点１５の外周側面位置１５Ｂが、光路Ｃから最も遠い第一レンズ１８のアダプタ側電気接点１５側外周端１８Ａよりも光路Ｃ側となるように距離Ｌだけ離間して配されている。
ＬＥＤ照明ユニット５１に係る複数のＬＥＤチップ２７は、第一レンズ１８の周囲に配されている。
【００３０】
この内視鏡装置４５によれば、直視型のアダプタ４６に係る対物光学系４８の第一レンズ１８を大型化しても、アダプタ４６全体の大径化を好適に抑えることができる。
【００３１】
なお、本発明の技術範囲は上記実施の形態に限定されるものではなく、本発明の趣旨を逸脱しない範囲において種々の変更を加えることが可能である。
例えば、上記第１の実施形態では、アダプタ１０をアダプタ本体１２の中心軸線Ｃ１方向から見たとき、図８（ａ）に示すように、アダプタ側電気接点１５の最上位置１５Ａが、プリズム２１の最下位置２１Ａよりも上側となるように配されているが、図８（ｂ）に示すように、電気配線部１６とアダプタ側電気接点１５との接続位置まで、プリズム２１の最下位置２１Ａより上側に配しても構わない。この場合、電気配線部１６の湾曲状態を調整することによって、上記実施形態と同様の作用・効果を得ることができる。
【００３２】
また、電気配線部１６を一つの基板５５に離間して配したアダプタ側電気接点５６を、図８（ｃ）（ｄ）のそれぞれに示すように、最上位置５６Ａが、プリズム２１の最下位置２１Ａよりも上側となるように配したものとしても構わない。
さらに、図９（ａ）（ｂ）に示すように、プリズム２１の側面２１Ｂよりも内側にアダプタ側電気接点１５を配しても構わない。また、図９（ｃ）（ｄ）に示すように、プリズム２１の側面２１Ｂに対して、電気配線部１６と基板５５とが内側に重なるように配してもわない。
また、上記各ケースにおいて、アダプタ側電気接点１５、５６の全体がプリズム２１の最下位置２１Ａよりも上側とされても構わない。
【００３３】
また、図１０に示すように、挿入部側電気接点６０が、電気供給配線３２と接続された基板２５と、基板２５の先端側に配された異方性導電ゴム２６とを備え、アダプタ側電気接点６１が、電気配線部１６と接続されて基端がアダプタ本体１２の基端面１２Ｃよりも突出して配された導電部材３３と、導電部材を覆う絶縁部材３５とを備えているとしても構わない。
この場合、アダプタ６２を挿入部６３に装着する際、上記実施形態と同様の作用・効果を奏することができる。
【００３４】
また、内視対象物への出射光量を増やすために、図１１（ａ）に示すように、第二の側口６５Ａを第一の側口１２Ａ側にも延びるように形成したアダプタ本体６５に対し、ＬＥＤ照明ユニット６６に係る複数のＬＥＤチップ２７の一部を、第一レンズ１８の側面側に配してもよい。さらに、図１１（ｂ）に示すように、第一の側口１２Ａの周囲を第二の側口６６Ａが囲むようにアダプタ本体６６を形成して第一レンズ１８の基端側にＬＥＤチップ２７を配したＬＥＤ照明ユニット６８としても構わない。この場合、内視対象に対する照明ムラを減らすことができる。
【００３５】
また、光路Ｃとアダプタの中心軸線Ｃ１とが一致する場合だけでなく、ずれている場合であっても、同様の作用・効果を奏することができる。
【図面の簡単な説明】
【００３６】
【図１】本発明の第１の実施形態に係る内視鏡装置の（ａ）全体概略構成を示す斜視図、（ｂ）挿入部先端側を示す斜視図である。
【図２】本発明の第１の実施形態に係る内視鏡装置の挿入部先端側を示す斜視図である。
【図３】本発明の第１の実施形態に係る内視鏡装置の挿入部先端側を示す縦断面図である。
【図４】本発明の第１の実施形態に係る内視鏡装置のアダプタ側電気接点及び挿入部側電気接点とを示す斜視図である。
【図５】本発明の第１の実施形態に係る内視鏡装置の（ａ）アダプタの縦断面図、（ｂ）アダプタ側電気接点と挿入部側電気接点との接触状態を示す要部拡大断面図である。
【図６】本発明の第２の実施形態に係る内視鏡装置のアダプタを示す（ａ）上面図、（ｂ）縦断面図である。
【図７】本発明の第３の実施形態に係る内視鏡装置のアダプタを示す縦断面図である。
【図８】本発明の他の実施形態に係る内視鏡装置のアダプタ側電気接点の最上位置とプリズムの最下位置との関係を、（ａ）電気接点の一部が重なる場合、（ｂ）電気配線まで重なる場合、（ｃ）一体型電気接点の一部が重なる場合、（ｄ）一体型電気接点の電気配線まで重なる場合、で示す正面図である。
【図９】本発明の他の実施形態に係る内視鏡装置のアダプタ側電気接点の最上位置とプリズムの側面及び最下位置との関係を、（ａ）電気接点の一部が重なる場合、（ｂ）電気配線まで重なる場合、（ｃ）一体型電気接点の一部が重なる場合、（ｄ）一体型電気接点の電気配線まで重なる場合、で示す正面図である。
【図１０】本発明の他の実施形態に係る内視鏡装置のアダプタ側電気接点と挿入部側電気接点との接触状態を示す要部拡大断面図である。
【図１１】本発明の他の実施形態に係る内視鏡装置の挿入部先端側を示す斜視図である。
【符号の説明】
【００３７】
１、４０、４５  内視鏡装置
５、６３  挿入部
８、５１、６６、６８  ＬＥＤ照明ユニット（照明部）
１０、４１、４６、６２  アダプタ（撮像アダプタ）
１３、６０  挿入部側電気接点
１５、５６、６１  アダプタ側電気接点
１６  電気配線部
１７、４８  対物光学系
２１  プリズム
Ｃ  光路
Ｃ１  中心軸線
【図１】
2006106166.tif 000003
【図２】
2006106166.tif 000004
【図３】
2006106166.tif 000005
【図４】
2006106166.tif 000006
【図５】
2006106166.tif 000007
【図６】
2006106166.tif 000008
【図７】
2006106166.tif 000009
【図８】
2006106166.tif 000010
【図９】
2006106166.tif 000011
【図１０】
2006106166.tif 000012
【図１１】
2006106166.tif 000013